(57)【要約】 【課題】弱運転から強運転に変更しても、燃焼筒に供給される二次空気が過度にならず、燃焼温度が低下して燃焼ガス内のＣＯが増加することのない温風暖房機を提供する。 【解決手段】燃焼筒１１の背面下部に二次空気導入口３１を形成し、燃焼筒基板１３でその二次空気導入口３１よりも背面側の位置に二次空気導入口３１を覆い隠す導入口遮蔽板３２を立設したので、燃焼筒１１の背面底部に対流ファン５からの送風空気が直接当たらないので燃焼筒１１が過度に冷却されず、それによりバーナヘッド１０周辺の雰囲気温度の低下を防ぎ、更に対流ファン５からの送風空気が直接二次空気導入口３１に流入しないので、燃焼筒１１内に供給される二次空気の流速が抑えられてバーナヘッド１０の火炎を二次空気があおらず、それにより火炎の燃焼温度が低下して燃焼ガス内のＣＯが増加するのを防止できる。【選択図】図２
2009085561.tif 000002
【特許請求の範囲】
【請求項１】
気化した燃料と空気とを混合し、該混合気を上部のバーナヘッドにて燃焼させるバーナー部と、前記バーナー部のバーナヘッドが上面に突出するようにバーナー部を取り付けた燃焼筒基板と、上面に突出したバーナヘッドを覆うように燃焼筒基板の上面に設けられた筒状の燃焼筒と、該燃焼筒を覆うように燃焼筒基板に取り付けられる送風ボックスカバー部とからなり、正面には送風流出部が開口され、背面には送風流入部が開口された送風ボックスを温風暖房機本体内に内蔵し、該送風ボックスの背面に設けた対流ファンからの送風空気と燃焼筒からの燃焼ガスを混合して温風として吹き出す温風暖房機に於いて、前記燃焼筒の背面下部に対流ファンからの送風空気の一部が燃焼筒内に供給されるための二次空気導入口を形成すると共に、前記燃焼筒基板でその二次空気導入口よりも背面側の位置に、二次空気導入口を覆い隠す導入口遮蔽板を立設したことを特徴とする温風暖房機。
【請求項２】
前記二次空気導入口は横長状に形成され、前記導入口遮蔽板は高さが二次空気導入口よりも高く形成されると共に、燃焼筒の外径と略同心円上に立設したことを特徴とする請求項１記載の温風暖房機。
【発明の詳細な説明】
【技術分野】
【０００１】
本発明は、灯油等の燃料の燃焼によって発生する燃焼ガスと送風用空気を混合して温風として送風することで暖房を行う温風暖房機に関するものである。
【背景技術】
【０００２】
従来よりこの種の温風暖房機に於いては、図５に示すように１０１は温風暖房機本体で、１０２は温風を案内するルーバ１０３が取り付けられた温風吹出口、１０４は背面の温風取入口１０５にファンガード１０６を介して取り付けられた対流ファン、１０７は前記温風取入口１０５と温風吹出口１０２とを連通する送風ボックス、１０８は前記送風ボックス１０７内にバーナヘッド１０９を突出して設けられたバーナ部、１１０は前記バーナヘッド１０９を囲堯して燃焼空間を形成する燃焼筒、１１１は前記送風ボックス７内で前記燃焼筒１１０の真上に配設された遮熱板で、前記バーナ部１０８は燃焼筒基板１１２の底部に固定されていると共にそのバーナヘッド１０９は燃焼筒基板１１２の上面に突出し、その突出したバーナヘッド１０９を囲堯するように燃焼筒１１０が燃焼筒基板１１２の上面に固定されているものである。
【０００３】
又前記機器本体１０１の外装体は、前面を覆う前パネル１１３と、上面を覆う上面板１１４と、側面及び背面を覆う背面板１１５とを置き台１１６の上に固定して構成されている。
【０００４】
次に１１７は燃焼用空気を送風管１１８を介してバーナ部１０８へ送風する燃焼ファンで、カートリッジ式タンク（図示せず）からの燃料を一時的に溜め置く固定タンク（図示せず）内の燃料を、電磁ポンプにて送油管（図示せず）及び送油ノズル（図示せず）を介してバーナ部１０８へ圧送して気化させ、その気化ガスと燃焼ファン１１７からの燃焼用空気を混合させた後、その混合気を燃焼するものである。
【０００５】
その際、対流ファン１０４からの送風空気の一部が、燃焼筒１１０の背面側の底部に形成した二次空気導入口１１９から二次空気として燃焼筒１１０内に供給されるものである。（例えば、特許文献１参照）
【特許文献１】特開２００６−８４１２４号公報
【発明の開示】
【発明が解決しようとする課題】
【０００６】
ところでこの従来のものでは、暖房運転を弱運転から中運転、更に強運転と変更していくと、それに伴って燃焼量も大きくなっていき、対流ファン１０４の回転数もそれに伴って上昇して、対流ファン１０４からの送風空気も増加し、燃焼筒１１０の二次空気導入口１１９からの二次空気が増加する。
【０００７】
二次空気導入口１１９からの二次空気が増加していくと、燃焼筒１１０が冷却されて温度が低下すると共に、バーナヘッド１０９で形成されている火炎が増加した二次空気にあおられるために、燃焼温度が低下してしまい、それにより燃焼ガス内のＣＯが増加してしまうという欠点があった。
【課題を解決するための手段】
【０００８】
この発明はこの点に着目し上記課題を解決する為、特にその構成を請求項１では、気化した燃料と空気とを混合し、該混合気を上部のバーナヘッドにて燃焼させるバーナー部と、前記バーナー部のバーナヘッドが上面に突出するようにバーナー部を取り付けた燃焼筒基板と、上面に突出したバーナヘッドを覆うように燃焼筒基板の上面に設けられた筒状の燃焼筒と、該燃焼筒を覆うように燃焼筒基板に取り付けられる送風ボックスカバー部とからなり、正面には送風流出部が開口され、背面には送風流入部が開口された送風ボックスを温風暖房機本体内に内蔵し、該送風ボックスの背面に設けた対流ファンからの送風空気と燃焼筒からの燃焼ガスを混合して温風として吹き出す温風暖房機に於いて、前記燃焼筒の背面下部に対流ファンからの送風空気の一部が燃焼筒内に供給されるための二次空気導入口を形成すると共に、前記燃焼筒基板でその二次空気導入口よりも背面側の位置に、二次空気導入口を覆い隠す導入口遮蔽板を立設したものである。
【０００９】
又請求項２に係る温風暖房機では、特にその構成を請求項１に於いて、前記二次空気導入口は横長状に形成され、前記導入口遮蔽板は高さが二次空気導入口よりも高く形成されると共に、燃焼筒の外径と略同心円上に立設したものである。
【発明の効果】
【００１０】
この発明の請求項１によれば、導入口遮蔽板により燃焼筒の背面底部に対流ファンからの送風空気が直接当たらないので、燃焼筒が過度に冷却されず、それによりバーナヘッド周辺の雰囲気温度が低下するのを防ぎ、更に導入口遮蔽板により対流ファンからの送風空気が直接二次空気導入口に流入しないので、燃焼筒内に供給される二次空気の流速が抑えられ、それによりバーナヘッドの火炎を二次空気があおらないので、バーナヘッドの火炎の燃焼温度が必要以上に低下するのを防ぎ、燃焼温度低下による燃焼ガス内のＣＯの増加を防止できるものである。
【００１１】
又本発明の請求項２に記載の温風暖房機によれば、請求項１に於いて、二次空気導入口を横長状に形成し、導入口遮蔽板は高さが二次空気導入口よりも高く形成されると共に、燃焼筒の外径と略同心円上に立設したので、、燃焼筒１１内に供給されるときの二次空気の流速が二次空気導入口の形状によりさらに抑えられ、バーナヘッドの火炎を二次空気であおらないので、バーナヘッド１０の火炎の燃焼温度が必要以上に低下するのを防ぎ、燃焼温度低下による燃焼ガス内のＣＯの増加を防止でき、又円筒状の燃焼筒に形成された二次空気導入口は開口部分が円弧状なので、それを覆い隠す導入口遮蔽板が二次空気導入口に対してすべて同じ距離になり、二次空気導入口に供給される二次空気が二次空気導入口全体に均一となり、それにより燃焼筒に供給される二次空気の偏りにより燃焼が不均一になるのを防止でき、燃焼を安定させて燃焼ガス内のＣＯの増加を防止できるものである。
【発明を実施するための最良の形態】
【００１２】
次に、本発明に係る発明の一実施例を図面に基づいて説明する。
１は温風暖房機本体で、２は前面上部に備えられた操作部、３は温風を案内するルーバ４が取り付けられた温風吹出口、５は背面の温風取入口６にファンガード７を介して取り付けられた対流ファン、８は前記温風取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板で、前記バーナ部９と燃焼筒１１は燃焼筒基板１３に取り付けられ、そのバーナ部９と燃焼筒１１が取り付けられた燃焼筒基板１３が送風ボックス８に取り付けられるものである。
【００１３】
前記機器本体１の外装体は、前面を覆う前パネル１４と、上面を覆う上面板１５と、側面及び背面を覆う背面板１６とを置き台１７の上に固定して構成されている。
【００１４】
そして灯油などの液体燃料を供給するカートリッジ式タンク（図示せず）からの燃料を一時的に固定タンク（図示せず）に溜め置き、該固定タンク内の燃料を送油管（図示せず）を介してバーナ部９へ電磁ポンプ（図示せず）が圧送し、燃焼ファン１８により燃焼用空気を送風管１９を介して送風するものである。
【００１５】
次に送風ボックス８の構造について説明する。 
前記送風ボックス８は、バーナ部９と燃焼筒１１が取り付けられた燃焼筒基板１３に、左右の側面部２０、２１と天板部２２からなる断面コの字状ので送風ボックスカバー部２３が取り付けられたもので、送風ボックス８の正面と背面は開口されていて、背面には温風取入口６からの送風が流入する送風流入部（図示せず）、正面には温風吹出口３へ温風を流出する送風流出部２４が形成されている。
【００１６】
又前記燃焼筒１１の正面左側に燃焼筒１１の一部を切り欠いて低くなっている切り欠き部２５が形成され、該切り欠き部２５には燃焼筒１１上方の燃焼ガス吹き出し口２６の約半分を塞ぐ蓋部２７が取り付けられている。
【００１７】
前記蓋部２７は燃焼筒１１の手前約三分の一を完全に塞ぐ蓋状部２８と、該蓋状部２８の端から燃焼筒１１の後方に向かって斜めに切り上がっている切り上がり部２９とからなり、該切り上がり部２９は正面左側約半分が高い突出部３０を形成しているものである。
【００１８】
前記燃焼筒１１の背面底部には、対流ファン５からの送風空気の一部が、二次空気として燃焼筒１１内に供給されるための二次空気導入口３１が横長の長方形状に形成され、更に燃焼筒基板１３でその二次空気導入口３１よりも背面側の位置には、二次空気導入口３１に直接対流ファン５からの送風空気が流入しないように、二次空気導入口３１よりも高さの高い導入口遮蔽板３２を、二次空気導入口３１を覆い隠す程度に燃焼筒１１の外径と略同心円上に立設したものである。
【００１９】
次に暖房運転時の燃焼状態について説明する。
バーナ部９で電磁ポンプから圧送された燃料が気化すると共に、その気化ガスに燃焼ファン１８からの燃焼用空気が混合して混合気となり、その混合気がバーナヘッド１０から吹き出し、この吹き出した混合気を着火することによりバーナヘッド１０にて炎が発生して混合気が燃焼する。  
【００２０】
この時、対流ファン５からの送風空気が導入口遮蔽板３２に当たって上昇するが、その一部がドラフト作用で二次空気導入口３１に流入して、二次空気として燃焼筒１１内に供給されるものである。
【００２１】
それにより、前記燃焼筒１１の背面底部に対流ファン５からの送風空気が直接当たらないので燃焼筒１１が過度に冷却されず、燃焼筒１１が過度に冷却されることでバーナヘッド１０周辺の雰囲気温度が低下するのを防ぎ、更に導入口遮蔽板３２により対流ファン５からの送風空気が直接二次空気導入口３１に流入しないことと、その二次空気導入口３１が横長形状で大きいので、燃焼筒１１内に供給されるときの二次空気の流速が抑えられ、バーナヘッド１０の火炎を二次空気であおらないので、バーナヘッド１０の火炎の燃焼温度が必要以上に低下するのを防ぎ、燃焼温度低下による燃焼ガス内のＣＯの増加を防止できるものである。
【００２２】
また、二次空気導入口３１が大きいことにより、ほこりがつまりにくく、ほこりがつまることによる燃焼筒１１への二次空気の供給不足の発生を防止できるものである。
【００２３】
また、二次空気導入口３１よりも高さの高い導入口遮蔽板３２を、二次空気導入口３１を覆い隠す程度に燃焼筒１１の外径と略同心円上に立設したことにより、円筒状の燃焼筒１１に形成された二次空気導入口３１は開口部分が円弧状なので、それを覆い隠す導入口遮蔽板３２が二次空気導入口３１に対してすべて同じ距離になり、二次空気導入口３１に供給される二次空気が二次空気導入口３１全体に均一となり、それにより燃焼筒１１に供給される二次空気の偏りにより燃焼が不均一になるのを防止でき、燃焼を安定させて燃焼ガス内のＣＯの増加を防止できるものである。
【図面の簡単な説明】
【００２４】
【図１】この発明の一実施形態の概略斜視図。
【図２】同温風暖房機の概略断面図。
【図３】同送風ボックスの斜視図。
【図４】同送風ボックスの背面図。
【図５】従来の温風暖房機の概略断面図。
【図６】同送風ボックスの背面図。
【符号の説明】
【００２５】
１    温風暖房機本体
５    対流ファン
８    送風ボックス
９    バーナ部
１０  バーナヘッド
１１  燃焼筒
１３  燃焼筒基板
２３  送風ボックスカバー部
２４  送風流出部
３１  二次空気導入口
３２  導入口遮蔽板
【図１】
2009085561.tif 000003
【図２】
2009085561.tif 000004
【図３】
2009085561.tif 000005
【図４】
2009085561.tif 000006
【図５】
2009085561.tif 000007
【図６】
2009085561.tif 000008